(57)【要約】【課題】道路の渋滞緩和のためにより効果的に利用者による経路決定の支援を行う。【解決手段】実施形態の道路交通管制装置は、複数の路線を含む道路網に関して、道路の渋滞情報を含む道路状況情報を管理する交通管制装置と、道路の利用者による経路決定の支援を行う経路決定支援装置と、を有する経路決定支援システムである。経路決定支援装置は、道路網に関して、利用者にとっての嗜好の対象である嗜好物と、嗜好物が存在する位置と、の関係を示す道路嗜好物情報を記憶する記憶部と、利用者の現在地と目的地と嗜好情報とを取得する取得部と、道路状況情報に基いて道路網における現在地から目的地までの経路を検索して、複数の経路が該当した場合に、嗜好情報と道路嗜好物情報に基いて利用者の嗜好にあった経路を優先的に推奨経路に決定する推奨経路決定部と、推奨経路を利用者が使用する通信装置に送信する送信部と、を備える。【選択図】図１
2020094869.tif 000002
【特許請求の範囲】
【請求項１】
複数の路線を含む道路網に関して、道路の渋滞情報を含む道路状況情報を管理する交通管制装置と、前記道路の利用者による経路決定の支援を行う経路決定支援装置と、を有する経路決定支援システムであって、
前記経路決定支援装置は、
前記道路網に関して、前記利用者にとっての嗜好の対象である嗜好物と、前記嗜好物が存在する位置と、の関係を示す道路嗜好物情報を記憶する記憶部と、
前記利用者の現在地と目的地と嗜好情報とを取得する取得部と、
前記道路状況情報に基いて前記道路網における前記現在地から前記目的地までの経路を検索して、複数の経路が該当した場合に、前記嗜好情報と前記道路嗜好物情報に基いて前記利用者の嗜好にあった経路を優先的に推奨経路に決定する推奨経路決定部と、
前記推奨経路を前記利用者が使用する通信装置に送信する送信部と、
を備える経路決定支援システム。
【請求項２】
前記経路決定支援システムは、前記道路網における道路の料金割引情報を含む道路料金情報を管理する料金管理装置を、さらに有し、
前記推奨経路決定部は、前記道路料金情報に基いて、前記利用者の嗜好にあった経路が料金割引対象の経路である場合はさらに優先的に推奨経路に決定する、請求項１に記載の経路決定支援システム。
【請求項３】
複数の路線を含む道路網に関して、利用者にとっての嗜好の対象である嗜好物と、前記嗜好物が存在する位置と、の関係を示す道路嗜好物情報を記憶する記憶部と、
前記利用者の現在地と目的地と嗜好情報とを取得する取得部と、
道路の渋滞情報を含む道路状況情報に基いて前記道路網における前記現在地から前記目的地までの経路を検索して、複数の経路が該当した場合に、前記嗜好情報と前記道路嗜好物情報に基いて前記利用者の嗜好にあった経路を優先的に推奨経路に決定する推奨経路決定部と、
前記推奨経路を前記利用者が使用する通信装置に送信する送信部と、
を備える経路決定支援装置。
【請求項４】
前記推奨経路決定部は、前記道路網における道路の料金割引情報を含む道路料金情報に基いて、前記利用者の嗜好にあった経路が料金割引対象の経路である場合はさらに優先的に推奨経路に決定する、請求項３に記載の経路決定支援装置。
【請求項５】
複数の路線を含む道路網に関して、利用者にとっての嗜好の対象である嗜好物と、前記嗜好物が存在する位置と、の関係を示す道路嗜好物情報を記憶する記憶部を備える経路決定支援装置による自動運転車両制御方法であって、
自動運転車両の利用者の現在地と目的地と嗜好情報とを取得する取得ステップと、
道路の渋滞情報を含む道路状況情報に基いて前記道路網における前記現在地から前記目的地までの経路を検索して、複数の経路が該当した場合に、前記嗜好情報と前記道路嗜好物情報に基いて前記自動運転車両の利用者の嗜好にあった経路を優先的に推奨経路に決定する推奨経路決定ステップと、
前記推奨経路を前記自動運転車両に送信する送信ステップと、
を備える自動運転車両制御方法。
【請求項６】
前記推奨経路決定ステップは、前記道路網における道路の料金割引情報を含む道路料金情報に基いて、前記自動運転車両の利用者の嗜好にあった経路が料金割引対象の経路である場合はさらに優先的に推奨経路に決定する、請求項５に記載の自動運転車両制御方法。
【発明の詳細な説明】
【技術分野】
【０００１】
本発明の実施形態は、経路決定支援システム、経路決定支援装置、および、自動運転車両制御方法に関する。
【背景技術】
【０００２】
高速道路等の道路において、渋滞が発生すると、利便性が低下し、また、事故を誘発することもある。したがって、渋滞緩和は重要である。
【０００３】
そこで、例えば、渋滞緩和のために、低混雑度の道路を料金割引対象とする料金割引制度がある。この料金割引制度によって、利用者が低混雑度の道路を迂回路として利用すれば、渋滞緩和につながる。
【先行技術文献】
【特許文献】
【０００４】
【特許文献１】特開２０１７−２２７４４５号公報
【特許文献２】特開２０１８−２５９７６号公報
【特許文献３】特開２０１７−８４２６０号公報
【発明の概要】
【発明が解決しようとする課題】
【０００５】
しかしながら、上述の料金割引制度では、利用者が低混雑度の道路を利用すると、走行時間、走行距離等の点で利用者に不利な場合もある。そのため、利用者は料金割引対象であっても低混雑度の道路を利用しないことが多く、渋滞緩和の効果は充分とはいえない。
【０００６】
そこで、本発明の実施形態は、道路の渋滞緩和のためにより効果的に利用者による経路決定の支援を行うことを課題とする。
【課題を解決するための手段】
【０００７】
実施形態の道路交通管制装置は、複数の路線を含む道路網に関して、道路の渋滞情報を含む道路状況情報を管理する交通管制装置と、前記道路の利用者による経路決定の支援を行う経路決定支援装置と、を有する経路決定支援システムである。前記経路決定支援装置は、前記道路網に関して、前記利用者にとっての嗜好の対象である嗜好物と、前記嗜好物が存在する位置と、の関係を示す道路嗜好物情報を記憶する記憶部と、前記利用者の現在地と目的地と嗜好情報とを取得する取得部と、前記道路状況情報に基いて前記道路網における前記現在地から前記目的地までの経路を検索して、複数の経路が該当した場合に、前記嗜好情報と前記道路嗜好物情報に基いて前記利用者の嗜好にあった経路を優先的に推奨経路に決定する推奨経路決定部と、前記推奨経路を前記利用者が使用する通信装置に送信する送信部と、を備える。
【図面の簡単な説明】
【０００８】
【図１】図１は、実施形態の経路決定支援システムの全体構成図である。
【図２】図２は、実施形態の道路網の路線図である。
【図３】図３は、実施形態の道路嗜好物情報の構成図である。
【図４】図４は、実施形態の利用者嗜好情報の構成図である。
【図５】図５は、実施形態の経路決定支援システムにおける各装置の動作を示すシーケンス図である。
【図６】図６は、図５のステップＳ５の詳細を示すフローチャートである。
【図７】図７は、図２の路線図における最短経路と嗜好経路を例示した図である。
【発明を実施するための形態】
【０００９】
以下、添付の図面を用いて、実施形態の経路決定支援システム、経路決定支援装置、および、自動運転車両制御方法について説明する。なお、以下の実施形態では、道路として、高速道路の場合を例にとって説明する。また、高速道路は、複数の路線を含む道路網として構成される。
【００１０】
図１は、実施形態の経路決定支援システム１の全体構成図である。経路決定支援システム１は、センタ２における各装置と、路側３における各装置と、車両４における各装置と、を備える。
【００１１】
センタ２には、料金管理装置２１、交通管制装置２２、経路決定支援装置２３が互いに通信可能に設置されている。
【００１２】
料金管理装置２１は、道路網における道路の料金割引情報を含む道路料金情報を道路料金ＤＢ（Ｄａｔａ  Ｂａｓｅ）２１１によって管理するコンピュータ装置（例えばサーバ装置）である。料金割引対象となる道路は、例えば、低混雑度の道路や、所定の時間帯（深夜、平日昼間等）の道路等である。また、混雑度は、道路の区間ごとに判定されている。
【００１３】
交通管制装置２２は、道路網に関して、道路の渋滞情報を含む道路状況情報を道路状況ＤＢ２２１によって管理する。交通管制装置２２は、例えば、一般に道路交通管制システムと呼ばれているコンピュータシステムである。交通管制装置２２は、図１では説明を簡潔にするために１台のコンピュータ装置のように示しているが、複数台のコンピュータ装置（例えばサーバ装置）によって実現してもよい。
【００１４】
経路決定支援装置２３は、道路の利用者による経路決定の支援を行うコンピュータ装置（例えばサーバ装置）である。経路決定支援装置２３は、処理部２３１と、記憶部２３２と、を備える。
【００１５】
記憶部２３２は、ＨＤＤ（Hard  Disk  Drive）やＳＳＤ（Solid  State  Drive）などの記憶装置である。記憶部２３２は、道路嗜好物情報と、利用者嗜好情報と、を記憶する。道路嗜好物情報は、道路網に関して、利用者にとっての嗜好の対象である嗜好物と、嗜好物が存在する位置と、の関係を示す情報である。
【００１６】
ここで、道路嗜好物情報を説明するために、まず、実施形態の道路網の路線図について説明する。図２は、実施形態の道路網の路線図である。図２に示すように、路線として、路線Ｒ１〜Ｒ４がある。路線Ｒ１〜Ｒ４は、図示のように互いに交差している。また、路線Ｒ１〜Ｒ４は、それぞれ、区間（区間＃１、＃２、＃３、＃４、・・・）に分けて管理されている。
【００１７】
各路線に沿って存在する嗜好物Ａ〜Ｆは、利用者にとっての嗜好の対象である。嗜好物は、例えば、飲食店（甘味屋、ラーメン屋等）、映画館、スポーツ施設、美術館、遊園地、水族館、山、海、湖、川、滝、塔（スカイツリー等）、公園、夜景スポット等である。また、Ｓ地点を現在地とし、Ｇ地点を目的地とする。
【００１８】
図３は、実施形態の道路嗜好物情報の構成図である。この道路嗜好物情報には、以下の事項が記憶されている。路線Ｒ１において、区間＃２に嗜好物Ａが存在し、区間＃３に嗜好物Ｂが存在する。路線Ｒ２において、区間＃２に嗜好物Ｃが存在する。路線Ｒ３において、区間＃２に嗜好物Ｄが存在する。路線Ｒ４において、区間＃２に嗜好物Ｅが存在し、区間＃３に嗜好物Ｆが存在する。
【００１９】
図１に戻って、利用者嗜好情報は、利用者の嗜好情報である。図４は、実施形態の利用者嗜好情報の構成図である。利用者嗜好情報は、利用者を一意に特定するための利用者ＩＤ（Identifier）、性別、年齢、嗜好物の各項目から構成される。なお、性別と年齢は任意であり必須ではない。
【００２０】
図４の例では、利用者ＩＤが「０００１」の利用者は、性別が男で、年齢が２５歳で、嗜好物が嗜好物Ｄ、Ｆである。利用者ＩＤが「０００２」の利用者は、性別が男で、年齢が６８歳で、嗜好物が嗜好物Ｃ、Ｅである。利用者ＩＤが「０００３」の利用者は、性別が女で、年齢が３９歳で、嗜好物が嗜好物Ａ、Ｂである。
【００２１】
図１に戻って、処理部２３１は、経路決定支援装置２３の全体の動作を制御し、経路決定支援装置２３が有する各種の機能を実現する。処理部２３１は、例えば、ＣＰＵ（Central  Processing  Unit）と、ＲＯＭ（Read  Only  Memory）と、ＲＡＭ（Random  Access  Memory）と、を備える。ＲＯＭは、各種プログラムやデータを記憶する記憶媒体である。ＲＡＭは、各種プログラムを一時的に記憶したり、各種データを書き換えたりするための記憶媒体である。ＣＰＵは、ＲＡＭをワークエリア（作業領域）としてＲＯＭ、記憶部２３２等に格納されたプログラムを実行することで、取得部２３１１、推奨経路決定部２３１２、送信部２３１３等の機能を実現する。
【００２２】
取得部２３１１は、利用者の現在地と目的地と嗜好情報とを取得する。具体的には、取得部２３１１は、例えば、車両４の車載器４１や携帯端末４３から送信されるデータによって、利用者の現在地、目的地を取得する。また、取得部２３１１は、記憶部２３２の利用者嗜好情報を参照することで利用者の嗜好情報を取得する。
【００２３】
推奨経路決定部２３１２は、交通管制装置２２の道路状況ＤＢ２２１に格納されている道路状況情報に基いて道路網における現在地から目的地までの経路を検索する。推奨経路決定部２３１２は、複数の経路が該当した場合に、利用者の嗜好情報と記憶部２３２に格納されている道路嗜好物情報に基いて利用者の嗜好にあった経路（以下、「嗜好経路」ともいう。）を優先的に推奨経路に決定する。なお、推奨経路が複数存在する場合は、推奨経路決定部２３１２は、例えば、性別や年齢等の属性の点で近い他者が過去により多く通過した経路（過去走行実績）や、自身が過去により多く通過した経路（過去走行実績）を優先するようにしてもよい。そうすれば、利用者満足度をより向上させることができる。なお、最終的に決定する推奨経路は、１つでもよいし、２つ以上であってもよい。２つ以上の場合は、各推奨経路に優先順位を付与してもよいが、これに限定されない。
【００２４】
また、推奨経路決定部２３１２は、料金管理装置２１の道路料金ＤＢ２１１に格納されている道路料金情報に基いて、利用者の嗜好にあった経路が料金割引対象の経路である場合はさらに優先的に推奨経路に決定するようにしてもよい。その場合、例えば、嗜好経路＞料金割引対象の経路＞最短経路、という優先度が望ましい。つまり、嗜好経路が複数存在する場合は料金割引がより大きい経路を選択する。また、嗜好経路で料金割引が同じ経路が複数存在する場合は、その中の最短経路を選択する。
【００２５】
送信部２３１３は、推奨経路決定部２３１２によって決定された推奨経路を、利用者が使用する通信装置（車載器４１、携帯端末４３）に送信する。
【００２６】
また、処理部２３１は、道路上を走行する自動運転車両を制御することもできる。自動運転車両とは、運転者による各種運転操作の全部または一部を代行して走行する車両である。より具体的には、自動運転車両は、レーダー、ＬＩＤＡＲ（Laser  Imaging  Detection  And  Ranging）、ＧＰＳ（Global  Positioning  System）、カメラ等によって周囲の環境を認識し、指定された目的地に向かって自律的に走行する。その場合、送信部２３１３は、推奨経路を自動運転車両に送信する。自動運転車両は、受信した推奨経路に沿って自律的に走行する。
【００２７】
路側３には、入口と出口において、ＥＴＣ（Electronic  Toll  Collection  System）ゲートが設置されている。また、ＥＴＣゲートには、カメラ３１と、無線部３２と、が設置されている。カメラ３１は、走行する車両を撮影する。無線部３２は、カメラ３１によって撮影された車両画像を交通管制装置２２に送信したり、交通管制装置２２と車載器４１の通信の中継を行ったりする。
【００２８】
また、本線には、トラフィックカウンタ３３と、ＣＣＴＶ（Closed-  circuit  Television）カメラ３４と、ＶＩＣＳ（Vehicle  Information  and  Communication  System）（登録商標）３５と、が設置されている。
【００２９】
トラフィックカウンタ３３は、道路の複数の車線それぞれに対して設けられる。それぞれのトラフィックカウンタ３３は、車線上を走行する車両を感知する車両感知器である。トラフィックカウンタ３３は、例えば、道路の下に埋設され、インダクタンスが車両の接近によって変化することを利用して車両を感知する長方形のループコイルによって実現される。トラフィックカウンタ３３によって計数された車両数情報は交通管制装置２２に送信される。
【００３０】
ＣＣＴＶカメラ３４は、走行する車両を撮影する。ＣＣＴＶカメラ３４によって撮影された車両画像は交通管制装置２２に送信される。ＶＩＣＳ３５（例えばＶＩＣＳ５．８）は、ＶＩＣＳセンタ（不図示）が収集、処理した道路交通情報（いわゆるプローブ情報等）を車両４の車載器４１に送信して表示させる道路交通情報通信システムである。
【００３１】
車載器４１（例えばＥＴＣ２．０）は、車両４に搭載され、無線部３２とＤＳＲＣ（Dedicated  Short  Range  Communication：専用狭域通信）を用いて通信する。
【００３２】
カーナビシステム４２は、車両の走行時に現在地や目的地までの経路の表示等を行う機能を有するコンピュータシステムである。
【００３３】
携帯端末４３は、車両４に搭乗している利用者が所持する携帯通信装置であり、例えば、スマートフォンである。携帯端末４３は、例えばタッチパネル等の入力表示部４３１を備える。例えば、利用者は、携帯端末４３を用いて、嗜好情報を経路決定支援装置２３に送信することができる。
【００３４】
また、例えば、利用者は、カーナビシステム４２や携帯端末４３を用いて、表示された推奨経路が複数ある場合にいずれかを選択することができる。
【００３５】
次に、図５を参照して、実施形態の経路決定支援システム１における各装置の動作について説明する。図５は、実施形態の経路決定支援システム１における各装置の動作を示すシーケンス図である。
【００３６】
まず、ステップＳ１において、車両４において、利用者が携帯端末４３において嗜好情報を入力すると、携帯端末４３が嗜好情報を経路決定支援装置２３に送信する。経路決定支援装置２３は、受信した嗜好情報を記憶部２３２の利用者嗜好情報に記憶する。
【００３７】
次に、ステップＳ２において、車両４において、利用者がカーナビシステム４２において目的地を入力すると、車載器４１が無線部３２と交通管制装置２２を経由して経路決定支援装置２３に目的地（情報）を送信する。
【００３８】
次に、ステップＳ３において、経路決定支援装置２３の推奨経路決定部２３１２は、交通管制装置２２に道路状況（渋滞等）を問い合わせ、応答を受信する。
【００３９】
次に、ステップＳ４において、経路決定支援装置２３の推奨経路決定部２３１２は、料金管理装置２１に道路料金（道路割引情報等）を問い合わせ、応答を受信する。
【００４０】
次に、ステップＳ５において、推奨経路決定部２３１２は、推奨経路決定処理を実行する。図６は、図５のステップＳ５の詳細を示すフローチャートである。
【００４１】
ステップＳ５１において、推奨経路決定部２３１２は、ステップＳ３で取得した道路状況（渋滞等）等に基いて、該当車両の現在地から目的地までの最短経路を検索する。なお、最短経路とは、時間的最短経路と距離的最短経路の一方または両方である。
【００４２】
次に、ステップＳ５２において、推奨経路決定部２３１２は、該当利用者の嗜好情報と記憶部２３２の道路嗜好物情報（図３）等に基いて、目的地までに利用者の嗜好物が存在する経路（嗜好経路）があるか否かを判定し、Ｙｅｓの場合はステップＳ５４に進み、Ｎｏの場合はステップＳ５３に進む。なお、このステップＳ５２において、利用者の性別や年齢の情報（図４）も併せて考慮してもよい。ステップＳ５３において、推奨経路決定部２３１２は、最短経路を推奨経路に決定する。
【００４３】
ステップＳ５４において、推奨経路決定部２３１２は、ステップＳ４で取得した道路料金（道路割引情報等）等に基いて、嗜好経路が料金割引対象の経路か否かを判定し、Ｙｅｓの場合はステップＳ５６に進み、Ｎｏの場合はステップＳ５５に進む。
【００４４】
ステップＳ５５において、推奨経路決定部２３１２は、最短経路と嗜好経路を推奨経路に決定する。ステップＳ５６において、推奨経路決定部２３１２は、嗜好経路を推奨経路に決定する。
【００４５】
図５に戻って、ステップＳ５の後、経路決定支援装置２３の送信部２３１３は、ステップＳ５で決定した推奨経路を車両４に送信する。
【００４６】
ステップＳ７において、車両４のカーナビシステム４２は、推奨経路を表示する。これによって、利用者は、推奨経路を認識することができる。また、自動運転車両の場合、自動運転車両は、受信した推奨経路に沿って自律的に走行する。
【００４７】
このような処理の具体例について、図２〜図４の場合を例にとって説明する。上述のように、図２において、現在地はＳ地点であり、目的地はＧ地点である。また、以下の事項を前提とする。Ｓ地点からＧ時点までの最短経路は路線Ｒ１の区間＃２、＃３を通る経路である。また、路線Ｒ１の区間＃２が渋滞（高混雑度）である。また、利用者は、図４の利用者ＩＤ「０００１」の利用者である。
【００４８】
このような前提で、迂回路としては、以下の２つが考えられる。
（迂回路１）路線Ｒ４の＃２→路線Ｒ２の＃２→路線Ｒ１の＃３
（迂回路２）路線Ｒ４の＃２→路線Ｒ４の＃３→路線Ｒ３の＃２
【００４９】
この場合、迂回路１には、嗜好物Ｅ、Ｃ、Ｂが含まれる。また、迂回路２には、嗜好物Ｅ、Ｆ、Ｄが含まれる。また、図４の利用者嗜好情報から、この利用者（利用者ＩＤ「０００１」）の嗜好物は、嗜好物Ｄ、Ｆである。したがって、この利用者にとっては、迂回路１よりも迂回路２のほうが魅力的である。そして、例えば、この迂回路２が料金割引対象でない場合（図６のステップＳ５４でＮｏ）、最短経路と嗜好経路（迂回路２）が推奨経路に決定される。
【００５０】
図７は、図２の路線図における最短経路と嗜好経路（迂回路２）を例示した図である。カーナビシステム４２に、このような表示がなされる。そして、利用者は、嗜好経路（迂回路２）について、自分の嗜好物が存在する経路であることによって、選択する可能性が高い。
【００５１】
また、迂回路２が料金割引対象である場合（図６のステップＳ５４でＹｅｓ）、嗜好経路（迂回路２）が推奨経路に決定される。そうすると、カーナビシステム４２に、嗜好経路（迂回路２）だけが推奨経路として表示される。そして、利用者は、嗜好経路（迂回路２）について、料金割引対象であるだけでなく、自分の嗜好物が存在する経路であることによって、満足して受け入れる可能性が高い。
【００５２】
このように、実施形態の経路決定支援システム１によれば、道路の渋滞緩和のためにより効果的に利用者による経路決定の支援を行うことができる。具体的には、利用者の嗜好物を基準に推奨経路を決定して提示（利用者が使用する通信装置に表示）することで、利用者がその推奨経路を選択する可能性を向上させることができる。したがって、利用者は嗜好物が存在する経路を走行することによって満足感を得ることができ、それにともなって、交通全体としては渋滞緩和を実現することができる。
【００５３】
一方、従来の料金割引制度は、上述のように利用者に不利な場合があるということのほかに、どの経路が割引されるのか、通常その経路を利用しない利用者にとってわかりにくいという短所もある。本実施形態の経路決定支援システム１によれば、利用者の嗜好物を基準に推奨経路を決定して提示することで、それらの短所を補うことができる。
【００５４】
また、従来技術で、利用者のターゲット（例えば観光スポット等）視認優先制御を行う自動運転制御に関する技術がある。しかし、この従来技術は、その車両の利用者から見た場合のターゲットの視認性を向上させる制御についてのみの技術であり、渋滞緩和には貢献しない。
【００５５】
なお、本実施形態の経路決定支援装置２３で実行されるプログラムは、インストール可能な形式又は実行可能な形式のファイルでＣＤ（Compact  Disc）−ＲＯＭ、フレキシブルディスク（ＦＤ）、ＣＤ−Ｒ（Recordable）、ＤＶＤ（Digital  Versatile  Disk）等のコンピュータ装置で読み取り可能な記録媒体に記録して提供することができる。また、本実施形態の経路決定支援装置２３で実行されるプログラムを、インターネット等のネットワーク経由で提供または配布するようにしてもよい。
【００５６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００５７】
例えば、図６のステップＳ５６で最短経路を推奨経路から外しているのは一例であり、推奨経路として、優先順位１位を嗜好経路、優先順位２位を最短経路として決定して利用者にその両方を提示するようにしてもよい。
【００５８】
また、嗜好物の位置は、経路の側方に限定されず、サービスエリアやパーキングエリアなどであってもよい。
【００５９】
また、最短経路と嗜好経路以外に、最安値経路を推奨経路に含めてもよい。
【００６０】
また、最短経路と嗜好経路の両方を推奨経路として利用者に提示した場合に、利用者が実際にどの経路を走行したかを交通管制装置２２によって判定し、判定結果をその後の処理で活用するようにしてもよい。
【００６１】
また、利用者が嗜好物を携帯端末４３等で指定するときに、質問項目を複数用意しておき、回答項目が多いほど嗜好物特定の精度が高くなるようにしてもよい。
【００６２】
また、推奨経路決定処理を行うたびに利用者の嗜好情報を送信する（図５のステップＳ１）のではなく、推奨経路決定処理を行うときは、毎回、経路決定支援装置２３の記憶部２３２にすでに記憶している利用者嗜好情報を使うようにしてもよい。
【００６３】
また、推奨経路を利用者に提示する場合に、過去にその推奨経路を走行した車両が立ち寄った嗜好物を参考のために表示するようにしてもよい。そうすれば、利用者がその推奨経路を選択するか否かを決定するときの参考情報とすることができ、利用者満足度をより向上させることができる。
【符号の説明】
【００６４】
１…経路決定支援システム、２…センタ、３…路側、４…車両、２１…料金管理装置、２２…交通管制装置、２３…経路決定支援装置、３１…カメラ、３２…無線部、３３…トラフィックカウンタ、３４…ＣＣＴＶカメラ、３５…ＶＩＣＳ、４１…車載器、４２…カーナビシステム、４３…携帯端末、２１１…道路料金ＤＢ、２２１…道路状況ＤＢ、２３１…処理部、２３２…記憶部、４３１…入力表示部、２３１１…取得部、２３１２…推奨経路決定部、２３１３…送信部。
【図１】
2020094869.tif 000003
【図２】
2020094869.tif 000004
【図３】
2020094869.tif 000005
【図４】
2020094869.tif 000006
【図５】
2020094869.tif 000007
【図６】
2020094869.tif 000008
【図７】
2020094869.tif 000009